(57)【特許請求の範囲】
【請求項１】
シリコーンゴム及びコラーゲンを含有するシリコーンゴムを成形してなるパッド成形品。
【請求項２】
パッド成形品が人工乳房である請求項１に記載のパッド成形品。
【発明の詳細な説明】
【０００１】
【発明の属する技術分野】
本発明は例えば身体の整姿を主目的として使用される整姿用パッドや、身体の部位の保護を目的とするエルボパッド、ニーパッド、人工乳房等のパッド成形品並びにその製造法に関する。
より詳細には、本発明は、乳ガンなどで乳房を外科手術等で切除したために、人工乳房を必要とする人のための人工乳房及びその製造法に関する。
【０００２】
【従来の技術】
例えば、乳腺症、乳ガン等の手術で女性が乳房を切除した場合、整姿目的で女性の乳房の形状を似せた整姿用パッドを使用することがある。この整姿用パッドは、いわば身体の一部として代用されるものであるから、なるべく身体に近い性状であることが望まれ、柔軟性、弾力性、保形性、軽量性、感触性、強度性等の諸条件を具備することが要求される。そこで、このような諸条件を幾つか具備するものとして、連続気泡で多孔化したゲル状物質から成るパッドが既に開発されている（実公昭６１−４０７２８号公報）。しかしながら、このようにゲル状物質を適用したパッドは、表面がべとついているため、身体の肌触りとはほど遠く、またその表面強度も比較的弱いものである。また、身体の部位の保護を目的とするエルボパッドやニーパッド等のパッド成形品の場合にも、以上のような肌触り性と表面強度が要求される。そこで、このようなパッド成形品の製品化にあたっては、パッドの表面処理に一つの課題が残されていた。
【０００３】
また、シリコーンＲＴＶゴム、低硬度ゲルを他の樹脂でラミネートし、シリコーンゴム外部に漏れないよう成形する方法も提案されていたが、形がリアルではなく、充分ではなかった。
【０００４】
【発明が解決しようとする課題】
前記の従来技術は、いずれも樹脂及びシリコーンゴムが表面を覆っている状態である。シリコーンゴムは人体に対し不活性で、耐候性、耐熱性、耐溶剤性等の優れた性質を持っているが、人体と比較すると、シリコーンゴムはシリコーンゴムであり、人体とは思えないものとなってしまう。それは、温もり感、摩擦係数、光沢、水分呼吸機能が人体とは違っているからである。
本発明は、人体に近い皮膚感を有するパッド成形品、より詳細には、人工乳房を提供することを目的とする。
【０００５】
【課題を解決するための手段】
本発明者は、シリコーンゴムにコラーゲンを添加することにより、シリコーンゴムの優れた性質にコラーゲンの性質を付加させ、人体に限りなく近い皮膚感を作ることができることを見い出した。
また、人工乳房の場合には、切除されていない乳房からまたは切除前の乳房から形を取り、それを型にしてシリコーンゴムを流し込み、成形することもでき、実際の乳房から型を採るため、リアルでかつ、自然体に成形することもできる。
【０００６】
すなわち、本発明は、シリコーンゴム及びコラーゲンを含有するシリコーンゴムを成形してなるパッド成形品、より詳細には、人工乳房及びそれらの製造法に関する。
【０００７】
本発明のコラーゲン及びシリコーンゴムからなる組成物は、コラーゲンを配合したことにより、従来のシリコーンゴムのみからでは得られない次のような特性を有している。
（１）  温もり感
シリコーンゴムに触れた時のヒヤリとした冷たい感触は、シリコーンゴムの表面熱伝導率が大きいために人体がこれに接触して移動した体温を他の部分に逃してしまうためである。シリコーンゴムにコラーゲンを添加することにより表面熱伝導率が減少し、これに人体特有の温もり感を付与することができる。
（２）  摩擦挙動
摩擦挙動を解析することにより、手触りという微妙な感性を評価することができる。パッド成型品の原料となるシリコーンゴムにおいても人体に限りなく近い手触りが要求される。人体とシリコーンゴムとの手触りの差は、人体はある程度摩擦係数が低く、しかもその変動が小さいのに対し、シリコーンゴムは摩擦係数が高く変動が激しいことに由来する。シリコーンゴムにコラーゲンを添加することにより、摩擦挙動を人体のそれに近似させることが可能となる。
（３）  光沢
シリコーンゴムには「うわ光」という現象がある。銀面光沢度の大きさに起因しており、シリコーンゴムにコラーゲンを添加すると銀面光沢度が低下し、うわ光現象が解消され、またフラクタルな形状による表面での光の乱反射のため、シリコーンゴムにはない天然物独特の外観を醸し出す。
（４）  水分の呼吸機能
コラーゲン繊維はあたかも呼吸しているかのように水分の吸放出を繰り返し、保水量を常態に維持する天然物特有の機能を有している。シリコーンゴムに添加することにより、吸汗性、夏場や高湿度時のべたつき防止などの機能を付与することができる。
【０００８】
本発明のシリコーンゴム及びコラーゲンを含有してなる組成物におけるシリコーンゴムとしては、通常のパッド成形品に使用されているものを使用することができる。
オルガノポリシロキサンなどから誘導される種々のシリコーンゲルを使用でき、市販のもの（例えば、ワッカーケミカルズイーストアジア（株）やダウケミカル社から販売されているもの。）を使用することができる。
【０００９】
これらの市販されているシリコーンゲルは、付加反応型および縮合反応型のいずれも使用することができる。
付加反応型のシリコーンゲルとしては、例えばワッカーケミカルズイーストアジア（株）製のエラストジルＭ４６００、Ｍ４６０１、ＲＴ６０４、ＲＴ６１５、ＲＴ６０１、ＲＴ６０７、シーゲル６１２、ＲＴＶ−Ｅ６１５、Ｅ６０４、ＭＥ６２５、ＥＭ６００、ＥＭ６０１、ＶＰ７６１６Ｓ−２、ＲＴＶ−２ SilGel 612A/B などが使用できる。
縮合反応型のシリコーンゲルとしては、例えばワッカーケミカルズイーストアジア（株）製のＲＴＶ−２ SLJ3253、ＲＴＶ２ SLJ3220、ＶＰ７５５０などが使用できる。
【００１０】
また本発明で使用されるコラーゲンとしては、特に制限はなく、広く市販のものと使用することができる。
また、培養して精製したものを使用することもできる。
市販のものとしては、例えば昭和電工株式会社の「トリアゼット」（登録商標）などを使用することができる。
【００１１】
本発明で使用するシリコーンゴムやコラーゲンは、そのまま使用してもよいが、必要に応じて、種々の添加剤を配合したものを使用することもできる。
例えば、パッド成型品に皮膚の色を再現するための顔料などを配合したものを使用することができる。
【００１２】
本発明のシリコーンゴムとコラーゲンからなる組成物における、シリコーンゴムとコラーゲンの配合比は特に制限はないが、シリコーンゴム成分１００部に対して、コラーゲン１０〜１５０部、好ましくは２０〜５０部、より好ましくは３０〜４０部である。
本発明のシリコーンゴムとコラーゲンからなる組成物には、必要に応じて、種々の添加物をさらに配合することもできる。
【００１３】
本発明のシリコーンゴム及びコラーゲンからなる組成物は、各成分を混合することにより製造することができる。混合の際には、必要によりエチルアルコールなどの有機溶剤を用いることもできる。
【００１４】
本発明のパッド成形品の製造方法は特に制限はなく、通常行われているように型に本発明の組成物を注入して成形することもできる。
パッド成形品の全体を本発明のシリコーンゴムとコラーゲンからなる組成物で成形することもできるが、表面部分のみを本発明のシリコーンゴムとコラーゲンからなる組成物とすることもできる。また、本発明のパッド成形品の内部を部分的に空白とすることもできる。
【００１５】
本発明のパッド成形品は、そのままの形でパッドとして使用することもできるし、また、ひも等の補助具を付して使用することもできる。
【００１６】
【実施例】
以下に実施例を挙げ本発明をさらに詳しく説明するが、本発明はこれらの実施例に限定されるものではない。
実施例１
シリコーンゴム（ＲＴＶ−２ SilGel 612A/B（ワッカーケミカルイーストアジア（株）製、２液状シリコーンゴム））１００部に対し、コラーゲン（トリアゼット LX260-1（昭和電工（株）製））を３０部を添加する。このとき、シリコーンゴム（ＲＴＶ−２ SilGel 612A/B）に対して添加混合を容易にするため、予めコラーゲン（トリアゼット LX260-1）をエチルアルコールに分散させておく。
ＲＴＶ−２ SilGel 612A/B・トリアゼット LX260-1・エチルアルコール混合物を、乳房の型に注入する。
硬化後、脱型して人工乳房を得る。
【００１７】
【発明の効果】
本発明のパッド成形品、特に人工乳房は、従来のものに比べて温もり感、摩擦挙動、光沢及びべたつき感などにおいて優れたものであり、特に皮膚に直接当たるパッド成形品として優れている。